(57)【特許請求の範囲】
【請求項１】
筺体と、該筺体内に配置される配線基板と、該波線基板上に互いに隣接して設けられたＲＦ変調器部及びＴＶチューナ部とを有し、前記ＲＦ変調器部には第一の位相同期ループ回路と該第一の位相同期ループ回路に接続された基準周波数設定用の水晶振動子とを設けると共に、前記ＴＶチューナ部には入力部と第二の位相同期ループ回路とを設け、前記配線基板上には前記入力部と前記筺体との間の領域に配設された第一の接地パターンと、前記第一の接地パターンに前記配線基板上で接続された状態で前記ＲＦ変調器部と前記入力部との間の領域に配設された第二の接地パターンとを設け、記配線基板上には前記水晶振動子と前記第二の位相同期ループ回路とを接続するための配線パターンを設け、該配線パターンを前記各接地パターンに沿って前記第一の接地パターンと前記筺体との間、及び前記第二の接地パターンと前記水晶振動子との間に配置したことを特徴とするＲＦ変調器内蔵型ＴＶチューナ。
【発明の詳細な説明】
【０００１】
【発明の属する技術分野】
本発明は、ＲＦ（高周波）変調器内蔵型ＴＶ（テレビジョン）チューナに係わり、特に、ビデオテープレコーダ（ＶＴＲ）などの映像機器に使用される、ＲＦ変調器及びＴＶチューナを一体化したＲＦ変調器内蔵型ＴＶチューナに関する。
【０００２】
【従来の技術】
近年、ＶＴＲなどの映像機器においては、ＲＦ変調器とＴＶチューナとを一つの金属筺体内に組み込んで一体化としたＲＦ変調器内蔵型ＴＶチューナを使用するようになっている。
【０００３】
ここで、図２は、かかる従来のＲＦ変調器内蔵型ＴＶチューナ、即ち、ＲＦ変調器及びＴＶチューナを一つの金属筺体内に一体的に組み込んだ構成の一例を示す概要図である。
【０００４】
図２に示されるように、ＲＦ変調器内蔵型ＴＶチューナは、全体がひとつの金属材料からなる筺体１４内に一枚の配線基板１１が配置され、該配線基板１１上に、ＲＦ変調器部１とＴＶチューナ部２とを構成しているものである。
【０００５】
そして、ＲＦ変調器部１は、第一の位相同期ループ（ＰＬＬ）回路３、第一のＲＦ増幅器５、分配器６、第二のＲＦ増幅器７、混合器８などを有している。また、前記第一の位相同期ループ（ＰＬＬ）回路３には、第一の基準発振回路３ａと図示しない第一の電圧制御発振器（ＶＣＯ）となどが備えられており、この第一の基準発振回路３ａに基準周波数設定用の水晶振動子３ｃが接続され、この第一の基準発振回路３ａと水晶振動子３ｃとによって第一の基準発振器３ｂを構成するようにしている。なお、この第一の基準発振器３ｂは、例えば４ＭＨｚの周波数で発振する。
【０００６】
一方、ＴＶチューナ部２は、少なくとも、入力部１２と、第三のＲＦ増幅器１３と、第二の位相同期ループ（ＰＬＬ）回路１０とを備えており、該第二の位相同期ループ（ＰＬＬ）回路１０は、第二の基準発振回路１０ａと図示しない第二の電圧制御発振器（ＶＣＯ）となどを具備している。そして、前記ＲＦ変調器部１に備えられた水晶振動子３ｃと前記第二の位相同期ループ（ＰＬＬ）回路１０の第二の基準発振回路１０ａとは、前記配線基板１１上に配設された配線パターン１７で接続され、前記水晶振動子３ｃと第二の基準発振回路１０ａとによって、例えば４ＭＨｚで発振する第二の基準発振器１０ｂを構成するようにしている。
【０００７】
従って、水晶振動子３ｃは、ＲＦ変調器部１の第一の位相同期ループ（ＰＬＬ）回路３と、ＴＶチューナ部２の第二の位相同期ループ（ＰＬＬ）回路１０とに共用されており、ＴＶチューナ部２には、基準周波数設定用の水晶振動子３ｃは配置されていない。また、前記入力部１２には、図示していないが受信信号を選択するアンテナ同調回路や中間信号と同じ周波数の外部信号を除去する中間周波トラップ回路等を構成するコイルが前記配線基板１１上に配置されている。
【０００８】
また、前記配線基板１１上には、前記筺体１４に近接するとともに、前記ＲＦ変調器部１及び前記ＴＶチューナ部２の双方にわたって、第一の接地パターン１５が設けられている。
そして、前記配線パターン１７は、第一の接地パターン１５とＴＶチューナ部２の入力部１２、第三のＲＦ増幅器１３との間に配置されている。また、第二の接地パターン１６は、前記ＲＦ変調器部１と、前記ＴＶチューナ部２との間に設けられており、該第二の接地パターン１６によって、ＲＦ変調器部１とＴＶチューナ部２とがそれぞれ電気的にシールドされている。
なお、前記筺体１４に、第一の接地パターン１５と、第二の接地パターン１６とが電気的に接続されており、アース電位となる。
【０００９】
また、前記第二の接地パターン１６の所定の位置には、第二の接地パターン１６が分離された開口１６ａが形成され、この開口１６ａを通って、前記ＲＦ変調器部１側に配置されている水晶振動子３ｃとＴＶチューナ部２の第二の位相同期ループ（ＰＬＬ）回路１０の第二の基準発振回路１０ａとを接続する配線パターン１７が配置されている。
【００１０】
また、前記水晶振動子３ｃと第二の位相同期ループ（ＰＬＬ）回路１０とを接続する前記配線パターン１７は、前記第一の接地パターン１５と、ＴＶチューナ部２の入力部１２と第三のＲＦ増幅器１３との間を引き回されており、よって入力部１２と第三のＲＦ増幅器１３との近傍に配置されている。
【００１１】
なお、前記第一の接地パターン１５と、前記第二の接地パターン１６と、前記配線パターン１７とは、配線基板１１上に銅箔などをエッチング加工することによって形成されている。
【００１２】
以上のような構成において、ＲＦ変調器部１側に設けられた入力端子４からのＴＶ信号が第一の増幅器５、分配器６、第二の増幅器７、混合器８などを経て出力端子９から図示しないＴＶ受信機に入力され、一方、分配器６で分配されたＴＶ信号がＴＶチューナ部２に入力される。
また、映像信号入力端子３ｄからの映像信号、及び音声信号入力端子３ｅからの音声信号が図示しない変調回路において、前記第一の位相同期ループ（ＰＬＬ）回路３からの搬送波を変調し、ＲＦ信号として混合器８を介して出力端子９に導かれるようになっている。
【００１３】
そして、ＲＦ変調器部１の第一の位相同期ループ（ＰＬＬ）回路３は、この搬送波の周波数の設定などに用いられ、また、ＴＶチューナ部２の第二の位相同期ループ（ＰＬＬ）回路１０は、選局に用いられる。
【００１４】
【発明が解決しようとする課題】
しかしながら、従来のＲＦ変調器内蔵型ＴＶチューナにおいては、ＲＦ変調器部１の第一の位相同期ループ（ＰＬＬ）回路３と、ＴＶチューナ部２の第二の位相同期ループ（ＰＬＬ）回路１０とで水晶振動子３ｃを共用するために配設した配線パターン１７上には、ＲＦ変調器部１の第一の位相同期ループ（ＰＬＬ）回路３の第一の基準発振器３ｂと、ＴＶチューナ部２の第二の位相同期ループ（ＰＬＬ）回路１０の第二の基準発振器１０ｂとのそれぞれの発振信号の基本波とその高調波が流れており、しかも、この配線パターン１７が、ＴＶチューナ部２の入力部１２と第三のＲＦ増幅器１３との近傍に配置されていることから、配線パターン１７上を流れる第一の基準発振器３ｂ、及び第二の基準発振器１０ｂの基準周波数の信号の高調波が、前記入力部１２のコイルなどに飛びつき易くなっており、飛びついた高調波がＴＶチューナ部２の各回路で歪みを発生する原因となり、この歪みによって、表示画面にビート妨害が現れるという問題を生じることがある。
【００１５】
本発明は、この問題点を解決するもので、その目的は、表示画面にビート妨害を生じることのないＲＦ変調器内蔵型ＴＶチューナを提供することにある。
【００１６】
【課題を解決するための手段】
本発明のＲＦ変調器内蔵型ＴＶチューナは、筺体と、該筺体内に配置される配線基板と、該波線基板上に互いに隣接して設けられたＲＦ変調器部及びＴＶチューナ部とを有し、前記ＲＦ変調器部には第一の位相同期ループ回路と該第一の位相同期ループ回路に接続された基準周波数設定用の水晶振動子とを設けると共に、前記ＴＶチューナ部には入力部と第二の位相同期ループ回路とを設け、前記配線基板上には前記入力部と前記筺体との間の領域に配設された第一の接地パターンと、前記第一の接地パターンに前記配線基板上で接続された状態で前記ＲＦ変調器部と前記入力部との間の領域に配設された第二の接地パターンとを設け、記配線基板上には前記水晶振動子と前記第二の位相同期ループ回路とを接続するための配線パターンを設け、該配線パターンを前記各接地パターンに沿って前記第一の接地パターンと前記筺体との間、及び前記第二の接地パターンと前記水晶振動子との間に配置した。
【００１８】
【発明の実施の形態】
以下、本発明の実施の形態を図面を参照して詳細に説明する。
図１は、本発明による実施の形態のＲＦ変調器内蔵型ＴＶチューナの構成を示す概要図である。
【００１９】
なお、図１において、図２の従来例に示された構成と同じ構成については、同一部番を付している。
【００２０】
図１に示されるように、本発明の実施の形態のＲＦ変調器内蔵型ＴＶチューナの第一の接地パターン１５には、前記ＲＦ変調器部１側と、前記ＴＶチューナ部２側とにそれぞれ開口１５ａ、１５ｂが設けられている点、配線パターン１７が、第一の接地パターン１５と筺体１４との間に設けられている点、第一の接地パターン１５と第二の接地パターン１６とが配線基板１１上で互いに接続されている点において、図２に示される従来のＲＦ変調器内蔵型ＴＶチューナと構成が異なっているが、その他の点の構成については、従来のＲＦ変調器内蔵型ＴＶチューナと同じである。
すなわち、配線パターン１７は各接地パターン１５、１６に沿って第一の接地パターン１５と筺体１４との間、及び第二の接地パターン１６と水晶振動子３ｃとの間に配置される。
【００２１】
この場合、本発明の実施の形態のＲＦ変調器内蔵型ＴＶチューナにおいて、第一の接地パターン１５は、前記ＲＦ変調器部１及び前記ＴＶチューナ部２の双方に設けられているとともに、筺体１４に近接して設けられている。
【００２２】
そして、前記配線パターン１７の一端は、前記開口１５ａを通ってＲＦ変調器部１内に引き回されて、該ＲＦ変調器部１の水晶振動子３ｃに接続され、また、前記配線パターン１７の他端は、前記開口１５ｂを通ってＴＶチューナ部２内に引き回されて、該ＴＶチューナ部２の第二の位相同期ループ（ＰＬＬ）回路１０の第二の基準発振回路１０ａに接続されている。
【００２３】
これによって、前記ＲＦ変調器部１側に配置されている水晶振動子３ｃと第一の基準発振回路３ａとによって、前記第一の位相同期ループ（ＰＬＬ）回路３の第一の基準発振器３ｂが構成されるとともに、前記配線パターン１７を介して接続された水晶振動子３ｃと第二の基準発振回路１０ａとによって、前記第二の位相同期ループ（ＰＬＬ）回路１０の第二の基準発振器１０ｂが構成される。
【００２４】
このとき、前記配線パターン１７と、ＴＶチューナ２の入力部１２と第三のＲＦ増幅器１３との間には、第一の接地パターン１５が配置されていることから、配線パターン１７は、入力部１２と第三のＲＦ増幅器１３とから第一の接地パターン１５によって、従来と比較して離れた位置に配置されていることになる。換言すれば、第一の接地パターン１５が、配線パターン１７と、入力部１２などとを分離している。この配線パターン１７の配置によって、配線パターン１７上を流れる第一の基準発振器３ｂ、第二の基準発振器１０ｂの基準周波数の信号の高調波が、コイルなどが配置された入力部１２や第三のＲＦ増幅器１３などに飛び移ることが少ない。
【００２５】
また、更に、配線パターン１７が、第一の接地パターン１５と筺体１４との間に配置されていることによって、アース電位である部材に配線パターン１７が、挟まれていることからも配線パターン１７上を流れる前記高調波が放射しても、金属材からなる筺体１４に吸収され、その分コイルなどが配置された入力部１２や第三のＲＦ増幅器１３などに飛び移ることが、より一層少ない。
【００２６】
前記構成による本発明の実施の形態のＲＦ変調器内蔵型ＴＶチューナは、概略、次のように動作する。
【００２７】
始めに、ＲＦ変調器部１を動作させる場合について述べると、図示しない第一の電圧制御発振器（ＶＣＯ）から出力される発振信号は、水晶振動子３ｃを用いた第一の基準発振器３ｂによって、その周波数が安定化する。
【００２８】
このとき、第一の電圧制御発振器（ＶＣＯ）から出力される発振信号（搬送波）は、映像信号入力端子３ｄに供給される映像信号、及び音声信号入力端子３ｅに供給される音声信号によって変調され、混合器８に入力される。また、分配器６から第二のＲＦ増幅器７を介して供給されるＲＦ信号も混合器８に入力される。そして、アンテナ出力端子９からいずれかのＲＦ出力信号としてテレビジョン受像機のアンテナ入力端子（図示せず）に供給される。
【００２９】
次に、ＴＶチューナ部２を動作させる場合について述べると、図示しない第二の電圧制御発振器（ＶＣＯ）から出力される局部発振信号は、前記ＲＦ変調器部１側に配置された水晶振動子３ｃと第二の位相同期ループ（ＰＬＬ）回路１０の第二の基準発振回路１０ａとからなる第二の基準発振器１０ｂによって、その周波数が安定化する。
【００３０】
このとき、第二の電圧制御発振器（ＶＣＯ）から出力される局部発振信号によって、入力部１２及び第三のＲＦ増幅器１３を通って供給されるＴＶ放送信号が、選局され、選局されたＴＶ放送信号に対応する中間周波（ＩＦ）信号が得られる。
【００３１】
そして、選局されたＴＶ放送信号に対応する中間周波信号は、中間周波信号出力端子１０ｃから次段の中間周波信号処理回路（図示せず）に供給される。
【００３２】
なお、本発明の実施の形態において、第一の位相同期ループ回路３側と第二の位相同期ループ回路１０側との間で基準周波数設定用の水晶振動子３ｃを共用する際に、水晶振動子３ｃをＲＦ変調器部１側に配置した実施例について説明したが、ＴＶチューナ部２側に水晶振動子３ｃを配置するようにしても良い。
【００３３】
【発明の効果】
以上のように、本発明によれば、配線基板上には水晶振動子と第二の位相同期ループ回路とを接続するための配線パターンを設け、配線パターンを各接地パターンに沿って第一の接地パターンと筺体との間、及び第二の接地パターンと水晶振動子との間に配置したので、従来の金属筺体内に一体化したＲＦ変調器内蔵型ＴＶチューナに比較して、配線パターンに流れる基準発振器の発振信号の高調波が、入力部のコイルに飛びつき難くなることから入力部などの発振周波数信号との間でのビート妨害などの問題が生じ難いという効果を奏する。
【図面の簡単な説明】
【図１】本発明によるＲＦ変調器内蔵型ＴＶチューナの実施の形態の構成を示す概要図である。
【図２】従来のＲＦ変調器内蔵型ＴＶチューナの構成を示す概要図である。
【符号の説明】
１  ＲＦ変調器部
２  ＴＶチューナ部
３  第一の位相同期ループ（ＰＬＬ）回路
３ａ  第一の基準発振回路
３ｃ  水晶振動子
５、７、１３  ＲＦ増幅器
１０  第二の位相同期ループ（ＰＬＬ）回路
１０ａ    第二の基準発振回路
１１  配線基板
１２  入力部
１４  筺体
１５    第一の接地パターン
１６    第二の接地パターン
１７  配線パターン
【図１】
0003599948.tif 000002
【図２】
0003599948.tif 000003